(57)【要約】【課題】  乗用型草刈り機において集草部を着脱自在に構成する場合に、集草部の着脱を容易なものに構成しながら、集草部を機体の後部にガタ付き少なく取り付けることができるようにする。【解決手段】  機体側連結部２０を機体の後部に上向きに備え、互いに向かい合う下すぼまり状の傾斜案内部２１ｂを機体側連結部２０に備える。集草部側連結部８を集草部６に下向きに備え、下すぼまり状の一対の被傾斜案内部８ｂを集草部側連結部８に備える。集草部側連結部８の被傾斜案内部８ｂを機体側連結部２０の傾斜案内部２１ｂの間に挿入することにより、集草部側連結部８を機体側連結部２０に取り付ける。【選択図】        図６
2008206436.tif 000002
【特許請求の範囲】
【請求項１】
機体にモーアを備え、機体の後部に集草部を備えて、前記モーアで刈り取られた刈り草を集草部に供給するように構成された乗用型草刈り機であって、
機体側連結部を機体の後部に上向きに備え、互いに向かい合う下すぼまり状の傾斜案内部を前記機体側連結部に備えて、
集草部側連結部を前記集草部に下向きに備え、下すぼまり状の一対の被傾斜案内部を前記集草部側連結部に備えて、
前記集草部側連結部の被傾斜案内部を機体側連結部の傾斜案内部の間に挿入して、前記集草部側連結部を機体側連結部に取付可能に構成してある乗用型草刈り機。
【請求項２】
機体にモーアを備え、機体の後部に集草部を備えて、前記モーアで刈り取られた刈り草を集草部に供給するように構成された乗用型草刈り機であって、
機体側連結部を機体の後部に上向きに備え、上すぼまり状の一対の傾斜案内部を前記機体側連結部に備えて、
集草部側連結部を前記集草部に下向きに備え、互いに向かい合う上すぼまり状の被傾斜案内部を前記集草部側連結部に備えて、
前記機体側連結部の傾斜案内部を集草部側連結部の被傾斜案内部の間に挿入して、前記集草部側連結部を機体側連結部に取付可能に構成してある乗用型草刈り機。
【請求項３】
前記機体側連結部からの集草部側連結部の抜けを阻止及び許容可能な阻止機構を備えてある請求項１又は２に記載の乗用型草刈り機。
【発明の詳細な説明】
【技術分野】
【０００１】
本発明は、機体における前輪及び後輪の間の部分や前輪の前側の部分にモーアを備え、機体の後部に集草部を備えて、モーアで刈り取られた刈り草を集草部に供給するように構成された乗用型草刈り機において、集草部の取り付け及び取り外しの構造に関する。
【背景技術】
【０００２】
乗用型草刈り機では、例えば特許文献１に開示されているように、集草部（特許文献１の図１及び図６の２５）の前部に、フレーム（特許文献１の図１及び図６の２５ａ）を連結して前方に延出し、機体の後部に連結されたブラケット（特許文献１の図１及び図６の３４）に、集草部のフレームをボルトによって連結するように構成したものがある。
【０００３】
特許文献１において集草部を着脱する場合、ボルトの締め付け操作及び緩め操作を行う必要があるので、集草部の取り付け及び取り外しに手間取ることがある。
そこで特許文献２のＦＩＧ．１に開示されているように、機体の後部にボス部（特許文献２のＦＩＧ．１の１３）を連結し、集草部のフレーム（特許文献２のＦＩＧ．１の２１）を機体のボス部に挿入して、抜け止め用のピン（特許文献２のＦＩＧ．１の１５）を、機体のボス部の取付孔（特許文献２のＦＩＧ．１の１４）に取り付けるように構成したものがある。これにより、ピンを取り付け及び取り外し操作することにより、集草部のフレームを機体のボス部から容易に抜き出して、集草部を取り外すことができる。
【特許文献１】特開２００２−３６８９６号公報
【特許文献２】ＵＳＰ４５８９２５１
【発明の開示】
【発明が解決しようとする課題】
【０００４】
特許文献２では、機体のボス部（特許文献２のＦＩＧ．１の１３）の内径、及び集草部のフレーム（特許文献２のＦＩＧ．１の２１）の外径が精度良く設定されていないと、機体のボス部で集草部のフレームがガタ付くことがあり、走行時の振動により集草部がガタ付いて、運転者が不快に感じることがある。
本発明は、乗用型草刈り機において集草部を着脱自在に構成する場合に、集草部の着脱を容易なものに構成しながら、集草部を機体の後部にガタ付き少なく取り付けることができるように構成することを目的としている。
【課題を解決するための手段】
【０００５】
［Ｉ］
（構成）
本発明の第１特徴は、機体にモーアを備え、機体の後部に集草部を備えて、モーアで刈り取られた刈り草を集草部に供給するように構成された乗用型草刈り機において次のように構成することにある。
機体側連結部を機体の後部に上向きに備え、互いに向かい合う下すぼまり状の傾斜案内部を、機体側連結部に備える。集草部側連結部を集草部に下向きに備え、下すぼまり状の一対の被傾斜案内部を、集草部側連結部に備える。集草部側連結部の被傾斜案内部を機体側連結部の傾斜案内部の間に挿入して、集草部側連結部を機体側連結部に取付可能に構成する。
【０００６】
（作用）
本発明の第１特徴によると、集草部を機体の後部に取り付けるときには、集草部を下方に移動させながら、集草部側連結部の被傾斜案内部を、機体側連結部の傾斜案内部の間に上方から挿入する。
この場合、機体側連結部の傾斜案内部が下すぼまり状（上広がり状）であるので、集草部側連結部の被傾斜案内部を、機体側連結部の傾斜案内部の間に上方から容易に挿入することができるのであり、機体側連結部の傾斜案内部の案内機能によって、集草部側連結部の被傾斜案内部が機体側連結部の傾斜案内部の間の内方（下方）に案内されていき、集草部（集草部側連結部）が機体の後部（機体側連結部）に容易に取り付けられる。
【０００７】
本発明の第１特徴によると、集草部を機体の後部に取り付けた後においては、集草部自身の重量や集草部に貯留される刈り草の重量により、機体側連結部の傾斜案内部及び集草部側連結部の被傾斜案内部の案内機能によって、集草部側連結部の被傾斜案内部が、機体側連結部の傾斜案内部の間の内方（下方）に入り込んで行こうとする（クサビ作用）。これにより、前述のクサビ作用によって、集草部（集草部側連結部）が機体の後部（機体側連結部）にガタ付き少なく支持される。
【０００８】
本発明の第１特徴によると、集草部を機体の後部から取り外すときには、集草部を上方に持ち上げるようにして、機体側連結部の傾斜案内部の間から、集草部側連結部の被傾斜案内部を上方に抜き出す。
この場合、機体側連結部の傾斜案内部の間から、集草部側連結部の被傾斜案内部を離し操作するだけであり、集草部（集草部側連結部）が機体の後部（機体側連結部）から容易に取り外される。
【０００９】
（発明の効果）
本発明の第１特徴によると、乗用型草刈り機において集草部を着脱自在に構成する場合に、クサビ作用を有効に利用することにより、集草部を機体の後部にガタ付き少なく取り付けることができるようになって、運転者に与える不快感を少なくすることができ、乗用型草刈り機の乗り心地を向上させることができた。
【００１０】
本発明の第１特徴によると、機体側連結部の傾斜案内部が下すぼまり状（上広がり状）である点、及び機体側連結部の傾斜案内部の案内機能の点によって、集草部（集草部側連結部）を機体の後部（機体側連結部）に容易に取り付け及び取り外しできるようになり、集草部の取り扱い性を向上させることができた。
【００１１】
［ＩＩ］
（構成）
本発明の第２特徴は、機体にモーアを備え、機体の後部に集草部を備えて、モーアで刈り取られた刈り草を集草部に供給するように構成された乗用型草刈り機において次のように構成することにある。
機体側連結部を機体の後部に上向きに備え、上すぼまり状の一対の傾斜案内部を、機体側連結部に備える。集草部側連結部を集草部に下向きに備え、互いに向かい合う上すぼまり状の被傾斜案内部を、集草部側連結部に備える。機体側連結部の傾斜案内部を集草部側連結部の被傾斜案内部の間に挿入して、集草部側連結部を機体側連結部に取付可能に構成する。
【００１２】
（作用）
本発明の第２特徴によると、集草部を機体の後部に取り付けるときには、集草部を下方に移動させながら、集草部側連結部の被傾斜案内部の間に、機体側連結部の傾斜案内部を下方から挿入する。
この場合、集草部側連結部の被傾斜案内部が上すぼまり状（下広がり状）であるので、機体側連結部の傾斜案内部を、集草部側連結部の被傾斜案内部の間に下方から容易に挿入することができるのであり、機体側連結部の傾斜案内部の案内機能によって、機体側連結部の傾斜案内部が集草部側連結部の被傾斜案内部の間の内方（上方）に案内されていき、集草部（集草部側連結部）が機体の後部（機体側連結部）に容易に取り付けられる。
【００１３】
本発明の第２特徴によると、集草部を機体の後部に取り付けた後においては、集草部自身の重量や集草部に貯留される刈り草の重量により、機体側連結部の傾斜案内部及び集草部側連結部の被傾斜案内部の案内機能によって、機体側連結部の傾斜案内部が、集草部側連結部の被傾斜案内部の間の内方（上方）に入り込んで行こうとする（クサビ作用）。これにより、前述のクサビ作用によって、集草部（集草部側連結部）が機体の後部（機体側連結部）にガタ付き少なく支持される。
【００１４】
本発明の第２特徴によると、集草部を機体の後部から取り外すときには、集草部を上方に持ち上げるようにして、集草部側連結部の被傾斜案内部の間から、機体側連結部の傾斜案内部を下方に抜き出す。
この場合、集草部側連結部の被傾斜案内部の間から、機体側連結部の傾斜案内部を離し操作するだけであり、集草部（集草部側連結部）が機体の後部（機体側連結部）から容易に取り外される。
【００１５】
（発明の効果）
本発明の第２特徴によると、乗用型草刈り機において集草部を着脱自在に構成する場合に、クサビ作用を有効に利用することにより、集草部を機体の後部にガタ付き少なく取り付けることができるようになって、運転者に与える不快感を少なくすることができ、乗用型草刈り機の乗り心地を向上させることができた。
【００１６】
本発明の第２特徴によると、集草部側連結部の被傾斜案内部が上すぼまり状（下広がり状）である点、及び機体側連結部の傾斜案内部の案内機能の点によって、集草部（集草部側連結部）を機体の後部（機体側連結部）に容易に取り付け及び取り外しできるようになり、集草部の取り扱い性を向上させることができた。
【００１７】
［ＩＩＩ］
（構成）
本発明の第３特徴は、本発明の第１又は第２特徴の乗用型草刈り機において次のように構成することにある。
機体側連結部からの集草部側連結部の抜けを阻止及び許容可能な阻止機構を備える。
【００１８】
（作用）
本発明の第３特徴によると、本発明の第１又は第２特徴と同様に前項［Ｉ］［ＩＩ］に記載の「作用」を備えており、これに加えて以下のような「作用」を備えている。
前項［１］に記載のように、集草部側連結部の被傾斜案内部が、機体側連結部の傾斜案内部の間の内方（下方）に入り込んで行こうとするので（前項［２］に記載のように、機体側連結部の傾斜案内部が、集草部側連結部の被傾斜案内部の間の内方（上方）に入り込んで行こうとするので）、機体側連結部と集草部側連結部とをボルト等により強固に連結する必要があまり無い。
前項［１］に記載のように、機体側連結部の傾斜案内部の間から、集草部側連結部の被傾斜案内部を離し操作するだけて（前項［２］に記載のように、集草部側連結部の被傾斜案内部の間から、機体側連結部の傾斜案内部を離し操作するだけで）、集草部（集草部側連結部）を機体の後部（機体側連結部）から容易に取り外すことができる。
【００１９】
本発明の第３特徴によると、機体側連結部からの集草部側連結部の抜けを阻止及び許容可能な阻止機構を備えている。これにより、阻止機構が特に強固な阻止機能を備えていなくても、阻止機構を阻止状態に操作することで、集草部（集草部側連結部）を機体の後部（機体側連結部）に強固に取り付けることができるのであり、阻止機構を許容状態に操作することで、集草部（集草部側連結部）を機体の後部（機体側連結部）から容易に取り外すことができる。
この場合に、特許文献１のようなボルトの締め付け操作及び緩め操作を行う構成に比べて、本発明の第３特徴では、阻止機構の阻止及び許容状態への操作を簡単なものに構成することが容易に行える。
【００２０】
（発明の効果）
本発明の第３特徴によると、本発明の第１又は第２特徴と同様に前項［Ｉ］［ＩＩ］に記載の「発明の効果」を備えており、これに加えて以下のような「発明の効果」を備えている。
本発明の第３特徴によると、特に強固な阻止機能を備えた阻止機構を備えなくてもよいので、阻止機構を構造の簡素化なものに構成することが可能になって、構造の簡素化の面で有利なものとなった。
本発明の第３特徴によると、阻止機構の阻止及び許容状態への操作を簡単なものに構成することが容易に行えるので、操作性の向上と言う面で有利なものとなった。
【発明を実施するための最良の形態】
【００２１】
図１及び図２に示すように、右及び左の前輪１、右及び左の後輪２によって支持された機体フレーム３の中央下部にモーア４が支持され、機体フレーム３の後部上部に運転座席５が備えられおり、機体の後部に集草部６が支持されて、乗用型草刈り機が構成されている。集草部６は、支持フレーム７、連結フレーム８（集草部側連結部に相当）、前カバー９、後カバー１０及び２つの集草袋１１等を備えて構成されている。
【００２２】
次に、集草部６において支持フレーム７について説明する。
図４に示すように、支持フレーム７は１本の金属製の丸パイプを平面視でコ字状に折り曲げられて構成されており、金属製の板材を断面コ字状の折り曲げて構成された支持フレーム１２が支持フレーム７の中央部に固定されて、支持フレーム７の右及び左側部に短い丸パイプの連結部７ａが固定されている。支持フレーム１２の中央部に開口部１２ａが備えられ、支持フレーム１２の端部に丸棒の係止部１２ｂが固定されている。
【００２３】
次に、集草部６において連結フレーム８について説明する。
図４及び図６に示すように、連結フレーム８は１本の金属製の丸パイプを折り曲げて構成されて、一対の連結部８ａを備えており、側面視（図５参照）で「く」字状に折り曲げられている。通常では、支持フレーム７の連結部７ａを連結フレーム８の連結部８ａに挿入して、連結ピン１３により支持フレーム７及び連結フレーム８の連結部７ａ，８ａを連結しておくのであり、連結ピン１３を取り外すことにより、支持フレーム７及び連結フレーム８を分離することができる。
【００２４】
図４及び図６に示すように、連結フレーム８の下部が正面視（図６参照）でＶ字状に折り曲げられて、互いに向かい合う下すぼまり状（上広がり状）の右及び左の被傾斜案内部８ｂが、下向きに構成されている。この場合、連結フレーム８において（図６参照）、連結フレーム８の右及び左の被傾斜案内部８ｂが、後述する前カバー９の刈り草投入口９ａから遠い側に偏位して配置されている。
【００２５】
次に、集草部６において前カバー９について説明する。
図５，６，１０に示すように、前カバー９は合成樹脂により一体的に構成されており、後側が開放されている。前カバー９の右前部に小さなダクト状の刈り草投入口９ａが備えられて、モーア４の刈り草排出口（図示せず）と前カバー９の刈り草投入口９ａとに亘って、ダクト１４（図１及び図２参照）が接続されており、前カバー９の内部においてヒサシ状の案内板１５が、前カバー９の刈り草投入口９ａの上側部に固定されている。
【００２６】
図５，６，１０に示すように、前カバー９の前下端部９ｂ、右及び左の横下端部９ｃが前及び横外向きに開放された断面コ字状に構成されており、支持フレーム７が前カバー９の前下端部９ｂ、右及び左の横下端部９ｃに嵌め込まれてボルト連結されている。この場合、支持フレーム７の連結部７ａ及び支持フレーム１２との干渉を避ける為の切欠き部９ｄが、前カバー９の前下端部９ｂに備えられている。
【００２７】
次に、集草部６において後カバー１０について説明する。
図３，５，１０に示すように、後カバー１０は合成樹脂により一体的に構成されて、前側が開放されている。後カバー１０の後部が略全左右幅に亘って張り出し部１０ａが備えられており、後カバー１０の右及び左の横側部の下部に水平部１０ｂが備えられ、水平部１０ｂから下端部１０ｃが下方に延出されている。
【００２８】
図５及び図１０に示すように、後カバー１０の内部において、メッシュ状の通気シート１６が後カバー１０の張り出し部１０ａの全左右幅に亘り、後カバー１０の張り出し部１０ａから少し離して固定されており、後カバー１０の張り出し部１０ａの下端部と通気シート１６の下端部との間に排気口１０ｄが構成されている。後カバー１０の前部の上部にヒンジ部材１７が固定されて、後カバー１０がヒンジ部材１７により前カバー９に揺動自在に支持されており、後カバー１０を閉じ位置（図５の実線参照）、及び閉じ位置から上方に揺動させた開き位置（図５の二点鎖線参照）に操作することができる。
【００２９】
図３，５，１０に示すように、後カバー１０の張り出し部１０ａの下端部にゴム製の係合部１０ｅが固定されており、後カバー１０の閉じ位置において、後カバー１０の係合部１０ｅを支持フレーム１２の係止部１２ｂに係合させることにより、後カバー１０を閉じ位置で固定することができる。
【００３０】
図１０に示すように、後カバー１０の内部に、案内板１８が左右方向に沿って固定されている。後カバー１０の閉じ位置において、案内板１８が前カバー９の刈り草投入口９ａ及び案内板１５につながる状態となり、後カバー１０を開き位置に操作すると、案内板１８が後カバー１０と一緒に上方に移動して、前カバー９の刈り草投入口９ａ及び案内板１５から離れる。
【００３１】
次に、集草部６において集草袋１１について説明する。
図４に示すように、金属製の丸棒を平面視（図１０参照）で正方形状に折り曲げて枠フレーム１９が構成されており、通気性のある布製の集草袋１１が枠フレーム１９に巻き付けられるようにして取り付けられている。この場合、集草袋１１の複数箇所に切欠き部１１ａを備えて、枠フレーム１９の部分が露出するように構成されており、作業者が露出した枠フレーム１９の部分を手で持つことができる。集草袋１１の一つの切欠き部１１ａの部分において、枠フレーム１９に下向きの突起部１９ａが固定されている。
【００３２】
図５，６，１０に示すように、集草袋１１を支持フレーム７，１２に取り付ける場合、枠フレーム１９を前カバー９の前下端部９ｂ、右及び左の横下端部９ｃ、支持フレーム７，１２に置き、枠フレーム１９の突起部１９ａを支持フレーム１２の開口部１２ａに挿入して、後カバー１０を閉じ位置に操作して固定する。枠フレーム１９の突起部１９ａと支持フレーム１２の開口部１２ａとの係合により集草袋１１の位置が決められ、後カバー１０の水平部１０ｂが枠フレーム１９の一部を上方から押圧することによって、集草袋１１が固定される。
【００３３】
図５，６，１０に示す状態において、モーア４で刈り取られた刈り草が、モーア４の送風に乗ってダクト１４から前カバー９の刈り草投入口９ａに入ってくるのであり、案内板１５，１８の案内作用により刈り草が、前カバー９の刈り草投入口９ａから遠い側の集草袋１１に主に供給され、次に前カバー９の刈り草投入口９ａに近い側の集草袋１１に供給される。この間において、モーア４の送風が通気シート１６を抜け、後カバー１０の張り出し部１０ａと通気シート１６の間を通って、後カバー１０の排気口１０ｄから下方に出る。
【００３４】
次に、集草部６の機体フレーム３への連結構造について説明する。
図１及び図３に示すように、機体フレーム３の後部に機体側連結部２０が斜め後方上向きに備えられている。図６，７，８，９に示すように、機体側連結部２０は第１連結部２１及び第２連結部２２、基板部２３、阻止部材２４（阻止機構に相当）等を備えて構成されて、基板部２３が機体フレーム３の後部にボルト連結されている。
【００３５】
図６，７，８，９に示すように、第１連結部２１は金属製の板材を折り曲げて構成されて、正面視（図６及び図９参照）で逆三角形状の受け部２１ａ、右及び左の傾斜案内部２１ｂ、上の傾斜案内部２１ｃ等を備えて構成されており、第１連結部２１の右及び左の傾斜案内部２１ｂの端部が基板部２３に連結されている。この場合、第１連結部２１の右及び左の傾斜案内部２１ｂが、正面視（図６及び図９参照）でＶ字状に、互いに向かい合う下すぼまり状（上広がり状）に構成されている。
【００３６】
図６，７，８，９に示すように、第２連結部２２は金属製の板材を折り曲げて構成されて、正面視（図６及び図９参照）で逆三角形状の受け部２２ａ、上の傾斜案内部２２ｂ等を備えて構成されており、側面視（図７参照）で第１及び第２連結部２１，２２の受け部２１ａ，２２ａが全ての部分で同じ間隔（平行）となるように、第２連結部２２の受け部２２ａの端部が第１連結部２１の右及び左の傾斜案内部２１ｂに連結されている。
【００３７】
この場合、図７及び図８に示すように、第１及び第２連結部２１，２２の受け部２１ａ，２２ａの間隔が、連結フレーム８の右及び左の被傾斜案内部８ｂの外径と略同じものに設定されている。図６，７，９に示すように、第１及び第２連結部２１，２２の下端部、基板部２３の下端部の間に開口部２５が構成されており、第１及び第２連結部２１，２２の受け部２１ａ，２２ａの間に入った刈り草やゴミ等が、開口部２５から下方に抜けるように構成されている。
【００３８】
図７，８，９に示すように、金属製の板材が折り曲げられて支持ブラケット２６が構成されて、支持ブラケット２６が第１連結部２１の受け部２１ａに連結されており、ピン状の阻止部材２４が支持ブラケット２６に図７の紙面左右方向にスライド自在に支持され、阻止部材２４が第１連結部２１の受け部２１ａの開口部から、第１及び第２連結部２１，２２の受け部２１ａ，２２ａの間に入り込んでいる。阻止部材２４の先端部２４ａが側面視（図７参照）で傾斜面に構成され、阻止部材２４に固定されたピン２４ｂと支持ブラケット２６との間にバネ２７が備えられて、バネ２７により阻止部材２４が第１及び第２連結部２１，２２の受け部２１ａ，２２ａの間への入り込み側に付勢されている。
【００３９】
図７，８，９に示すように、支持ブラケット２６にクランク状の長孔２６ａが備えられて、阻止部材２４のピン２４ｂが支持ブラケット２６の長孔２６ａに挿入され、阻止部材２４の回り止めが行われており、阻止部材２４の先端部２４ａが側面視で図７に示す姿勢に維持されている。阻止部材２４を第１及び第２連結部２１，２２の受け部２１ａ，２２ａの間から抜き出し、阻止部材２４のピン２４ｂを支持ブラケット２６の長孔２６ａの曲がり部に係合させることにより、阻止部材２４を第１及び第２連結部２１，２２の受け部２１ａ，２２ａの間から抜き出した位置に保持することができる。
【００４０】
次に、集草部６（連結フレーム８）の機体フレーム３（機体側連結部２０）への取り付けについて説明する。
図６，７，８に示すように、集草部６（連結フレーム８）を下方に移動させながら、連結フレーム８（集草部６）の右及び左の被傾斜案内部８ｂを、第１及び第２連結部２１，２２（機体側連結部２０）の上の傾斜案内部２１ｃ，２２ｂの間から、第１及び第２連結部２１，２２（機体側連結部２０）の受け部２１ａ，２２ａの間に上方から挿入する。
【００４１】
この場合、図６及び図９に示すように、第１連結部２１（機体側連結部２０）の右及び左の傾斜案内部２１ｂが下すぼまり状（上広がり状）であるので、連結フレーム８（集草部６）の右及び左の被傾斜案内部８ｂを、第１連結部２１（機体側連結部２０）の右及び左の傾斜案内部２１ｂの間に上方から容易に挿入することができるのであり、第１連結部２１（機体側連結部２０）の右及び左の傾斜案内部２１ｂの案内機能によって、連結フレーム８（集草部６）の右及び左の被傾斜案内部８ｂが、第１連結部２１（機体側連結部２０）の右及び左の傾斜案内部２１ｂの間の内方（下方）に案内されていく。
【００４２】
図６，７，９に示すように、連結フレーム８（集草部６）の右及び左の被傾斜案内部８ｂの下端部が阻止部材２４の先端部２４ａに達すると、連結フレーム８（集草部６）の右及び左の被傾斜案内部８ｂの下端部により、阻止部材２４がバネ２７に抗して図７の紙面左方に押し出され、再び阻止部材２４がバネ２７により図７の紙面右方に移動して、連結フレーム８（集草部６）の右及び左の被傾斜案内部８ｂの下端部の上側に、阻止部材２４の先端部２４ａが入り込む。
【００４３】
この状態において図６，７，８，９に示すように、連結フレーム８（集草部６）の右及び左の被傾斜案内部８ｂが、側面視（図７参照）で第１及び第２連結部２１，２２（機体側連結部２０）の受け部２１ａ，２２ａに接する状態となり、正面視（図６及び図９参照）で第１連結部２１（機体側連結部２０）の右及び左の傾斜案内部２１ｂに接する状態となる。連結フレーム８（集草部６）の右及び左の被傾斜案内部８ｂの下端部の上側に、阻止部材２４の先端部２４ａが入り込むことにより、機体側連結部２０から連結フレーム８（集草部６）が上方に抜けないのであり、集草部６（連結フレーム８）が機体フレーム３（機体側連結部２０）に強固に取り付けられる。
【００４４】
図６，７，８，９に示すように、集草部６（連結フレーム８）が機体フレーム３（機体側連結部２０）に取り付けられた状態において、集草部６自身の重量や集草部６に貯留される刈り草の重量により、第１連結部２１（機体側連結部２０）の右及び左の傾斜案内部２１ｂ、及び連結フレーム８（集草部６）の右及び左の被傾斜案内部８ｂの案内機能によって、連結フレーム８（集草部６）の右及び左の被傾斜案内部８ｂが、第１連結部２１（機体側連結部２０）の右及び左の傾斜案内部２１ｂの間の内方（下方）に入り込んで行こうとする（クサビ作用）。これにより、前述のクサビ作用によって、集草部６（連結フレーム８）が機体フレーム３（機体側連結部２０）にガタ付き少なく支持される。
【００４５】
次に、集草部６（連結フレーム８）を機体フレーム３（機体側連結部２０）から取り外す場合、阻止部材２４を第１及び第２連結部２１，２２の受け部２１ａ，２２ａの間から抜き出し、阻止部材２４のピン２４ｂを支持ブラケット２６の長孔２６ａの曲がり部に係合させることにより、阻止部材２４を第１及び第２連結部２１，２２の受け部２１ａ，２２ａの間から抜き出した位置に保持する。この後、集草部６（連結フレーム８）を上方に移動させながら、連結フレーム８（集草部６）の右及び左の被傾斜案内部８ｂを、第１及び第２連結部２１，２２（機体側連結部２０）の受け部２１ａ，２２ａの間から上方に抜き出すことにより、集草部６（連結フレーム８）を機体フレーム３（機体側連結部２０）から取り外すことができる。
【００４６】
［発明の実施の第１別形態］
前述の［発明を実施するための最良の形態］において、図１１に示すように構成してもよい。
図１１に示すように、連結フレーム８において右及び左の被傾斜案内部８ｂを廃止し、図６，７，８，９に示す機体側連結部２０と同じ構造を備えた集草部側連結部３１（第１連結部２１、第２連結部２２、阻止部材２４、支持ブラケット２６及びバネ２７を備え基板部２３を備えない）を上下逆向きに設定し、この集草部連結部３１を連結フレーム８に固定する。この場合、集草部連結部３１において、互いに向かい合う上すぼまり状（下広がり状）の右及び左の被傾斜案内部３１ａが備えられている。１本の金属製の丸パイプを逆Ｖ字状に折り曲げて機体側連結部３２を構成し、機体側連結部３２を機体フレーム３の後部に固定して、機体側連結部３２に上すぼまり状（下広がり状）の右及び左の傾斜案内部３２ａを備える。
【００４７】
図１１に示すように、集草部６（集草部側連結部３１）を機体フレーム３（機体側連結部３２）に取り付けるときには、集草部６（集草部側連結部３１）を下方に移動させながら、集草部側連結部３１の右及び左の被傾斜案内部３１ａの間に、機体側連結部３２の右及び左の傾斜案内部３２ａを下方から挿入する。
【００４８】
この場合、図１１に示すように、集草部側連結部３１の右及び左の被傾斜案内部３１ａが上すぼまり状（下広がり状）であるので、機体側連結部３２の右及び左の傾斜案内部３２ａを、集草部側連結部３１の右及び左の被傾斜案内部３１ａの間に下方から容易に挿入することができるのであり、機体側連結部３２の右及び左の傾斜案内部３２ａの案内機能によって、機体側連結部３２の右及び左の傾斜案内部３２ａが、集草部側連結部３１の右及び左の被傾斜案内部３１ａの間の内方（上方）に案内されていく。
【００４９】
図１１に示すように、機体側連結部３２の右及び左の傾斜案内部３２ａの上端部が阻止部材２４の先端部２４ａに達すると、機体側連結部３２の右及び左の傾斜案内部３２ａの上端部により、阻止部材２４がバネ２７に抗して押し出され、再び阻止部材２４がバネ２７により入り込んで、機体側連結部３２の右及び左の傾斜案内部３２ａの上端部の下側に阻止部材２４の先端部２４ａが入り込む。
【００５０】
この状態において図１１に示すように、集草部側連結部３１の右及び左の被傾斜案内部３１ａが、機体側連結部３２の右及び左の傾斜案内部３２ａに接する状態となり、機体側連結部３２の右及び左の傾斜案内部３２ａの上端部の下側に、阻止部材２４の先端部２４ａが入り込むことにより、機体側連結部３２から集草部側連結部３１が上方に抜けないのであり、集草部６（集草部側連結部３１）が機体フレーム３（機体側連結部３２）に強固に取り付けられる。
【００５１】
［発明の実施の第２別形態］
前述の［発明を実施するための最良の形態］において、図１２に示すように構成してもよい。
図１２に示すように、第２連結部２２の受け部２２ａの端部を第１連結部２１の右及び左の傾斜案内部２１ｂに連結する場合、側面視（図１２参照）で第１及び第２連結部２１，２２の受け部２１ａ，２２ａが上広がり状になるように構成してもよい。これにより、連結フレーム８（集草部６）の右及び左の被傾斜案内部８ｂを、第１及び第２連結部２１，２２（機体側連結部２０）の受け部２１ａ，２２ａの間に上方から容易に挿入することができる。
【００５２】
これによって、集草部６自身の重量や集草部６に貯留される刈り草の重量により、連結フレーム８（集草部６）の右及び左の被傾斜案内部８ｂが、第１連結部２１（機体側連結部２０）の受け部２１ａに接する状態となり、第１連結部２１（機体側連結部２０）の右及び左の傾斜案内部２１ｂに接する状態となるのであり、連結フレーム８の右及び左の被傾斜案内部８ｂが、第２連結部２２の受け部２２ａから少し離れる状態となる。
この［発明の実施の第２別形態］（図１２）の構成は、［発明の実施の第１別形態］にも適用可能である。
【図面の簡単な説明】
【００５３】
【図１】乗用型草刈り機の全体側面図
【図２】乗用型草刈り機の全体平面図
【図３】乗用型草刈り機の全体背面図
【図４】集草部における支持フレーム、連結フレーム及び集草袋の分解斜視図
【図５】集草部及び機体側連結部の付近の縦断側面図
【図６】集草部及び機体側連結部の付近の縦断背面図
【図７】機体側連結部の縦断側面図
【図８】機体側連結部の平面図
【図９】機体側連結部の背面図
【図１０】集草部の横断平面図
【図１１】発明の実施の第１別形態における集草部、集草部側連結部及び機体側連結部の背面図
【図１２】発明の実施の第２別形態における機体側連結部の縦断側面図
【符号の説明】
【００５４】
４              モーア
６              集草部
８，３１        集草部側連結部
８ｂ，３１ａ    被傾斜案内部
２０，３２      機体側連結部
２１ｂ，３２ａ  傾斜案内部
２４            阻止機構
【図１】
2008206436.tif 000003
【図２】
2008206436.tif 000004
【図３】
2008206436.tif 000005
【図４】
2008206436.tif 000006
【図５】
2008206436.tif 000007
【図６】
2008206436.tif 000008
【図７】
2008206436.tif 000009
【図８】
2008206436.tif 000010
【図９】
2008206436.tif 000011
【図１０】
2008206436.tif 000012
【図１１】
2008206436.tif 000013
【図１２】
2008206436.tif 000014